(57)【要約】【課題】複合中性水処理法（ＣＷＴ法）を適用して復水や給水等の水に生成される酸化スケール等の腐食生成物を抑制し、より一層寿命を長くして安定運転が行い得るコンバインドサイクル発電プラントの水処理装置、その水処理方法およびコンバインドサイクル発電プラントを提供する。【解決手段】本発明に係るコンバインドサイクル発電プラントの水処理装置は、ガスタービンプラント１に排熱回収ボイラ２、蒸気タービンプラント３および復水・給水系４を組み合せたコンバインドサイクル発電プラントに、水をアルカリ性に維持させるとともに、酸素を共存させて水質を調整する水質調整装置４５を備えたものである。【選択図】  図１
2005313116.tif 000002
【特許請求の範囲】
【請求項１】
ガスタービンプラントに排熱回収ボイラ、蒸気タービンプラントおよび復水・給水系を組み合せたコンバインドサイクル発電プラントに、水をアルカリ性に維持させるとともに、酸素を共存させて水質を調整する水質調整装置を備えたことを特徴とするコンバインドサイクル発電プラントの水処理装置。
【請求項２】
水質調整装置は、復水給水系の復水器と復水ポンプとの間、復水ポンプとグランドコンデンサとの間および給水ポンプの入口側のうち、少なくともいずれか１つ以上に備えたことを特徴とする請求項１記載のコンバインドサイクル発電プラントの水処理装置。
【請求項３】
水質調整装置は、排熱回収ボイラの高圧ドラムおよびその入口側、中圧ドラムおよびその入口側のうち、少なくともいずれか１つ以上に備えたことを特徴とする請求項１記載のコンバインドサイクル発電プラントの水処理装置。
【請求項４】
水質調整装置は、アルカリ性に維持させた水に、共存する酸素の濃度を制御する酸素供給調整弁を備えたことを特徴とする請求項１記載のコンバインドサイクル発電プラントの水処理装置。
【請求項５】
酸素供給調整弁は、検出した水の実温度信号と予め設定された水温度設定信号を比較し、前記水の実温度信号の方が高いことを条件に信号切替器に開弁信号を与える高値比較演算器と、検出した水の酸素濃度信号と予め設定された酸素濃度設定信号を比較し、偏差が出たとき、その偏差を基に演算して供給する酸素の濃度を制御するＰＩ演算部とからなる酸素供給制御演算部を備えたことを特徴とする請求項４記載のコンバインドサイクル発電プラントの水処理装置。
【請求項６】
水質調整装置は、水の温度を検出する水温度計と水の酸素濃度を検出する酸素濃度計とを備えたことを特徴とする請求項１記載のコンバインドサイクル発電プラントの水処理装置。
【請求項７】
ガスタービンプラントに排熱回収ボイラ、蒸気タービンプラントおよび復水・給水系を組み合せたコンバインドサイクル発電プラントの水にアンモニウムを供給してアルカリ性に維持させるとともに、アルカリ性の水に共存させる酸素を供給することを特徴とするコンバインドサイクル発電プラントの水処理方法。
【請求項８】
アルカリ性の水に共存させる酸素を供給する際、検出した水の実温度信号と予め設定された水温度設定信号を比較し、前記水の実温度信号の方が高いことを条件に、前記水に酸素を供給する酸素供給調整弁に開弁信号を与えるとともに、検出した水の酸素濃度信号と予め設定された酸素濃度設定信号を比較し、偏差が出たとき、その偏差を基に演算して供給する酸素の濃度を制御することを特徴とする請求項７記載のコンバインドサイクル発電プラントの水処理方法。
【請求項９】
酸素供給調整弁に開弁信号を与える際、ガスタービンプラントの実出力と予め設定されたガスタービンプラントの設定出力とを比較し、前記ガスタービンプラントの実出力の方が高いことを条件に開弁信号を与えることを特徴とする請求項８記載のコンバインドサイクル発電プラントの水処理方法。
【請求項１０】
酸素供給調整弁に開弁信号を与える際、蒸気タービンプラントの実出力と予め設定された蒸気タービンプラントの設定出力とを比較し、前記蒸気タービンプラントの実出力の方が高いことを条件に開弁信号を与えることを特徴とする請求項８記載のコンバインドサイクル発電プラントの水処理方法。
【請求項１１】
請求項１ないし５記載の装置のいずれかを適用したことを特徴とするコンバインドサイクル発電プラント。
【請求項１２】
請求項７ないし１０記載の方法のいずれかを適用したことを特徴とするコンバインドサイクル発電プラント。
【発明の詳細な説明】
【技術分野】
【０００１】
本発明は、プラント系統内を循環する給水、復水等の水に含まれる酸化スケール等の腐食生成物の生成を効果的に抑制するコンバインドサイクル発電プラントの水処理装置、その水処理方法およびコンバインドサイクル発電プラントに関する。
【背景技術】
【０００２】
最近の火力発電プラント、具体的にはコンバインドサイクル発電プラントでは、一軸タイプのそれよりも、より一層プラント熱効率を向上させるために、ガスタービンプラントと排熱回収ボイラで構成する系列を複数系列にし、この複数系列に対し、１台の蒸気タービンプラントを別軸として組み合せた、いわゆる多軸コンバインドサイクル発電プラントが出現し、稼動に入っている。
【０００３】
この多軸コンバインドサイクル発電プラントは、蒸気タービンプラントを主体に置き、蒸気タービンプラントの持つ大容量化（高出力化）を巧みに利用するものであり、容量が大きくなっている分だけ定格時のプラント熱効率がガスタービンと蒸気タービンとを軸直結させた、一軸タイプに較べて高く、有利になっている。
【０００４】
このように、定格時のプラント熱効率が一軸タイプに較べて高い多軸コンバインドサイクル発電プラントでも、より長い寿命を維持させる安定運転を行うために、系統内を循環する復水、給水等内に生成される酸化スケール等の腐食生成物の抑制を図る水質管理を行っている。
【０００５】
従来、火力発電プラントに適用している水質管理は、復水や給水等にアンモニアやヒドランジ等の揮発性薬品を投入する、いわゆる揮発性物質処理法（ＡＶＴ法）が主流を占め、水のＰＨ値を９．０〜９．５に維持、調整するとともに、アンモニアやヒドランジの投入により、配管、機器に生成されるマグネタイト（Ｆｅ３Ｏ４）皮膜をヘマタイト（Ｆｅ３Ｏ３）皮膜に変更させ、酸化スケール等の腐食生成物の生成を抑制していた。
【０００６】
しかし、この揮発性物質処理法（ＡＶＴ法）は、水のＰＨ値を高く維持するために、アンモニアを多量に投入し、その濃度を高く維持させている。このため、水の流れが急激に多量になる個所や水の流れが淀む個所には、アンモニアアタックと称して復水器の不凝縮ガス収集部分や給水加熱器の入口部分にアンモニアによる腐食を受ける等の問題点を抱えていた。
【０００７】
また、腐食生成物の一つである酸化スケールは、水の流速、ＰＨ値、温度が高い程、より多く生成され、特に、水の温度が１６０℃以上になるとより多く生成されることが知見されている。このため、最近のように、火力発電プラントの高出力化を求めて蒸気の温度、圧力をより一層高温、高圧化させている今日、従来の揮発性物質処理法（ＡＶＴ法）では、もはや限界に至りつつある。
【０００８】
このように、もはや適用限界に至りつつある従来の揮発性物質処理法に代って、例えば、下記の特許文献１や特許文献２に見られるように、復水、給水等の水に、アンモニアと酸素を投入する複合中性水処理法（ＣＷＴ法）が提案されている。
【０００９】
この複合中性水処理法（ＣＷＴ法）は、ＰＨ値を低くした弱アルカリ性の水に酸素を共存させるもので、原子力発電プラントでは、既に実施されており、また、コンベンショナルな火力発電プラントでも試験的に特定の系統を指定して実施し、ボイラの差圧上昇防止に好結果を得、現在、その適用を拡げつつある。
【特許文献１】特公平２−５４４３５号公報
【特許文献２】特開平６−５５１６５号公報
【発明の開示】
【発明が解決しようとする課題】
【００１０】
上述した特許文献１や特許文献２に開示されている複合中性水処理法（ＣＷＴ法）を、コンベンショナルな火力発電プラントでは、その系統の適用範囲を拡大しつつあるものの、コンバインドサイクル発電プラントにおいては、系統構成の相違や運転条件の相違等から、現在、適用に至っていない。
【００１１】
しかし、上述揮発性物質処理法（ＡＶＴ法）が適用限界になりつつある今日、コンバインドサイクル発電プラントも、種々の改良を加えてコンベンショナルな火力発電プラント並みの複合中性水処理法（ＣＷＴ法）の適用が求められている。
【００１２】
本発明は、このような背景技術に照らしてなされたもので、複合中性水処理法（ＣＷＴ法）を適用して復水や給水等の水に生成される酸化スケール等の腐食生成物を抑制し、より一層寿命を長くして安定運転が行い得るコンバインドサイクル発電プラントの水処理装置、その水処理方法およびコンバインドサイクル発電プラントを提供することを目的とする。
【課題を解決するための手段】
【００１３】
本発明に係るコンバインドサイクル発電プラントの水処理装置は、請求項１に記載したように、ガスタービンプラントに排熱回収ボイラ、蒸気タービンプラントおよび復水・給水系を組み合せたコンバインドサイクル発電プラントに、水をアルカリ性に維持させるとともに、酸素を共存させて水質を調整する水質調整装置を備えたものである。
【００１４】
また、本発明に係るコンバインドサイクル発電プラントの水処理装置は、請求項２に記載したように、水質調整装置は、復水給水系の復水器と復水ポンプとの間、復水ポンプとグランドコンデンサとの間および給水ポンプの入口側のうち、少なくともいずれか１つ以上に備えたものである。
【００１５】
また、本発明に係るコンバインドサイクル発電プラントの水処理装置は、請求項３に記載したように、水質調整装置は、排熱回収ボイラの高圧ドラムおよびその入口側、中圧ドラムおよびその入口側のうち、少なくともいずれか１つ以上に備えたものである。
【００１６】
また、本発明に係るコンバインドサイクル発電プラントの水処理装置は、請求項４に記載したように、水質調整装置は、アルカリ性に維持させた水に、共存する酸素の濃度を制御する酸素供給調整弁を備えたものである。
【００１７】
また、本発明に係るコンバインドサイクル発電プラントの水処理装置は、請求項５に記載したように、酸素供給調整弁は、検出した水の実温度信号と予め設定された水温度設定信号を比較し、前記水の実温度信号の方が高いことを条件に信号切替器に開弁信号を与える高値比較演算器と、検出した水の酸素濃度信号と予め設定された酸素濃度設定信号を比較し、偏差が出たとき、その偏差を基に演算して供給する酸素の濃度を制御するＰＩ演算部とからなる酸素供給制御演算部を備えたものである。
【００１８】
本発明に係るコンバインドサイクル発電プラントの水処理方法は、請求項６に記載したように、水質調整装置は、水の温度を検出する水温度計と水の酸素濃度を検出する酸素濃度計とを備えたものである。
【００１９】
本発明に係るコンバインドサイクル発電プラントの水処理方法は、請求項７に記載したように、ガスタービンプラントに排熱回収ボイラ、蒸気タービンプラントおよび復水・給水系を組み合せたコンバインドサイクル発電プラントの水にアンモニウムを供給してアルカリ性に維持させるとともに、アルカリ性の水に共存させる酸素を供給する方法である。
【００２０】
また、本発明に係るコンバインドサイクル発電プラントの水処理方法は、請求項８に記載したように、アルカリ性の水に共存させる酸素を供給する際、検出した水の実温度信号と予め設定された水温度設定信号を比較し、前記水の実温度信号の方が高いことを条件に、前記水に酸素を供給する酸素供給調整弁に開弁信号を与えるとともに、検出した水の酸素濃度信号と予め設定された酸素濃度設定信号を比較し、偏差が出たとき、その偏差を基に演算して供給する酸素の濃度を制御する方法である。
【００２１】
また、本発明に係るコンバインドサイクル発電プラントの水処理方法は、請求項９に記載したように、酸素供給調整弁に開弁信号を与える際、ガスタービンプラントの実出力と予め設定されたガスタービンプラントの設定出力とを比較し、前記ガスタービンプラントの実出力の方が高いことを条件に開弁信号を与える方法である。
【００２２】
また、本発明に係るコンバインドサイクル発電プラントの水処理方法は、請求項１０に記載したように、酸素供給調整弁に開弁信号を与える際、蒸気タービンプラントの実出力と予め設定された蒸気タービンプラントの設定出力とを比較し、前記蒸気タービンプラントの実出力の方が高いことを条件に開弁信号を与える方法である。
【００２３】
また、本発明に係るコンバインドサイクル発電プラントの水処理方法は、請求項１１に記載したように、請求項１ないし５記載の装置のいずれかを適用したものである。
【００２４】
また、本発明に係るコンバインドサイクル発電プラントの水処理方法は、請求項１２に記載したように、請求項７ないし１０記載の方法のいずれかを適用したものである。
【発明の効果】
【００２５】
本発明に係るコンバインドサイクル発電プラントの水処理装置、その水処理方法は、ガスタービンプラントに排熱回収ボイラ、蒸気タービンプラントおよび復水、給水を組み合せたコンバインドサイクル発電プラントに、水にアンモニアを加えてアルカリ性に維持させるとともに、アルカリ性の水に酸素を供給して共存させるので、複合中性水処理法（ＣＷＴ法）の下、水に生成される酸化スケール等の腐食生成物を抑制し、コンバインドサイクル発電プラントのより一層長い寿命を維持させて安定運転を行わせることができる。
【発明を実施するための最良の形態】
【００２６】
以下、本発明に係るコンバインドサイクル発電プラントの水処理装置、その水処理方法およびコンバインドサイクル発電プラントの実施形態を図面および図面に付した符号を引用して説明する。
【００２７】
なお、本発明に係るコンバインドサイクル発電プラントの水処理装置、その水処理方法およびコンバインドサイクル発電プラントの説明に先立ち、まず、例えば、多軸形コンバインドサイクル発電プラントを説明し、本発明に係るコンバインドサイクル発電プラントの水処理装置、その水処理方法およびコンバインドサイクル発電プラントの理解への補足とする。
【００２８】
図１は、例示としての多軸形コンバインドサイクル発電プラントを示す概略系統図である。
【００２９】
このコンバインドサイクル発電プラントは、ガスタービンプラント１に排熱回収ボイラ２を組み合せるとともに、ガスタービン１と別軸に設置され、復水・給水系４を設けた蒸気タービンプラント３を備える構成になっている。
【００３０】
ガスタービンプラント１は、発電機５、入口にプレナム６を備えた空気圧縮機７、ガスタービン燃焼器９、ガスタービン１０を備え、空気圧縮機７でプレナム６から供給された空気（大気）を圧縮して高圧化し、この高圧空気をガスタービン燃焼器９に供給し、ここで高圧空気とともに燃料ガス圧縮機８からの燃料ガスを加えて燃焼ガスを生成し、生成した燃焼ガスをガスタービン１０で膨張仕事をさせ、その際に発生する動力（回転トルク）で発電機５を駆動するとともに、膨張仕事を終えたガスタービン排ガス（排熱）を排熱回収ボイラ２に供給し、蒸気発生の熱源として使用している。
【００３１】
また、排熱回収ボイラ２は、例えば横長筒状のケーシング内を流れるガスタービンプラント１からのガスタービン排ガスの流れに沿って順に、減温器１３を介装して互いを接続させる高圧第１過熱器１１と高圧第２過熱器１２、再熱蒸気減温器１６を介装して互いを接続させる第１再熱器１４と第２再熱器１５、高圧ドラム１７に接続する高圧蒸発器１８、中圧過熱器１９、高圧第３節炭器２０、低圧過熱器２１、中圧ドラム２２に接続する中圧蒸発器２３、中圧第３節炭器２４、高圧第２節炭器２５、中圧第２節炭器２６、低圧ドラム２７に接続する低圧蒸発器２８、高圧第１節炭器２９、中圧第１節炭器３０を収容し、高，中，低の各蒸発器１８，２３，２８で蒸発した飽和蒸気を高，中，低の各ドラム１７，２２，２７で気水分離を行った後、高圧第１過熱器１１で過熱蒸気にして蒸気タービンプラント３に供給している
また、蒸気タービンプラント３は、互いを軸結合させた高圧蒸気タービン３１、中低圧蒸気タービン３２、発電機３３を備え、排熱回収ボイラ２の高圧第１過熱器１１から主蒸気系３４を介して高圧蒸気タービン３１に供給し、膨張仕事をさせている。
【００３２】
また、蒸気タービンプラント３は、排熱回収ボイラ２の第２再熱器１５に接続する低温再熱蒸気系３５と排熱回収ボイラ２の第１再熱器１４を中低蒸気タービン３２に接続させる高温再熱蒸気系３６を備え、高圧蒸気タービン３１で熱を失ったタービン排気を低温再熱蒸気系３５を介して第２再熱器１５に供給し、ここで再熱させ、さらに第１再熱器１４でも再熱させ、その際に発生する動力（回転トルク）で発電機３３を駆動している。なお、中低圧蒸気タービン３２は、排熱回収ボイラ２の低圧過熱器２１に接続する蒸気供給系３７を備え、起動時等に蒸気の供給を受けている。
【００３３】
一方、復水・給水系４は、復水器３８、復水ポンプ３９、グランドコンデンサ４０、給水ポンプ４１、給水管４２、給水ポンプ中段注水管４３、給水再循環管４４を備え、蒸気タービンプラント３の中低圧蒸気タービン３２からのタービン排気を復水器３８で凝縮して復水にし、この復水を復水ポンプ３９を介してグランドコンデンサ４０で蒸気タービンプラント３の軸シール水と熱交換させ、さらに給水ポンプ４１で昇圧させ、一部を給水管４２を介して排熱回収ボイラ２の高圧第１節炭器２９に供給するとともに、残りを給水ポンプ４１の中間段落からの抽水を給水ポンプ中段注水管４３を介して排熱回収ボイラ２の中圧第１節炭器３０に供給している。なお、復水・給水系４は、起動時等、給水が少ないとき、給水ポンプ４１の過加熱防止の意図から給水ポンプ４１の入口側を排熱回収ボイラ２の中圧第１節炭器３０の出口側の間に給水再熱循環管４４を備えている。
【００３４】
このような構成を備えたコンバインドサイクル発電プラントにおいて、本実施形態は、復水・給水系４の給水ポンプ４１の入口側に復水、給水の水質を調整する水質調整装置４５を設けたものである。
【００３５】
この水質調整装置４５は、復水、給水の水に、例えばｐＨ値８〜９程度の弱アルカリ性に維持させるアンモニア供給装置と弱アルカリ性の水に共存させる酸素を供給する酸素供給装置を備えている。
【００３６】
酸素供給装置は、図３に示すように、酸素供給容器４６、酸素供給調整弁４７、酸素供給制御演算部４８を備え、この酸素供給制御演算部４８に酸素濃度計４９からの検出した酸素濃度信号および水温度計５０から検出した水温度信号を入力して演算し、弱アルカリ性の水の下、適正な酸素濃度に制御して複合中性水処理法（ＣＷＴ法）を行うようになっている。
【００３７】
すなわち、酸素供給制御演算部４８は、図４に示すように、目標酸素濃度設定器５１、水温度設定器５２、比較器５３，５４、ＰＩ演算部５５、高値比較演算器５６、信号設定器５７、信号切替器５８を備え、酸素濃度計４９から検出した酸素濃度信号を比較器５３で目標酸素濃度設定器５１の設定信号Ｓと突き合わせ、偏差が出ると、その偏差信号を基にＰＩ演算部５５でＰＩ演算を行わせた後、信号切替器５８に与える。
【００３８】
また、酸素供給制御演算部４８は、水温度計５０から検出した復水、給水等の水温度信号を比較器５４で水温度設定器５２からの設定信号βと突き合わせて偏差を求め、この偏差を高値比較演算器５６に送る。この高値比較演算器５６は偏差が正の予定値以上、すなわち水温温度信号が設定信号βよりも所定値以上高いとき、ＯＮ指令を信号切替器５８に与える。
【００３９】
信号切替器５８は、通常時、信号設定器５７からの設定信号によってＯＦＦしているが、前述のように水温度計５０から検出した実水温度信号が水温度設定器５２の設定信号βの予定値よりも大きくなったとき、ＯＮする。したがって、実水温度が設定温度信号βよりも低いとき、酸素供給調整弁４７を全閉にさせておき、設定温度信号βを超え、偏差が高値比較演算器５６に設定されているレベルよりも大きくなると、酸素供給調整弁４７を開弁させ、ＰＩ演算部５５の演算信号に基づいて適正濃度の酸素が復水・給水系４の供給する構成になっている。
【００４０】
このように、本実施形態は、復水・給水系４の給水ポンプ４１の入口側に復水、給水の水に、アンモニアを供給して弱アルカリ性の水にし、弱アルカリ性の下、適正量に制御された酸素を加えて酸素を共存させる複合中性水処理法（ＣＷＴ法）を行うので、水に生成される酸化スケール等の腐食生成物を抑制し、コンバインドサイクル発電プラントにより一層寿命を長く維持させて安定運転を行わせることができる。
【００４１】
なお、本実施形態は、酸素供給調整弁４７を開弁させ、酸素の供給を開始させるタイミングを、水の実温度が設定温度βを超えたことを条件に行わせたが、この例えに限らず、ガスタービンプラント１の実出力が予め定められた設定出力を超えたとき、あるいは蒸気タービンプラント３の実出力が予め定められた設定出力を超えたとき、水への酸素供給を開始してもよい。
【００４２】
また、本実施形態は、復水・給水系４の給水ポンプ４１の入口側に酸素濃度計４９を備えた水質調整装置４５を設けたが、この例に限らず、例えば、図２に示すように、復水・給水系４の復水器３８と復水ポンプ３９との間、復水ポンプ３９とグランドコンデンサ４０との間、排熱回収ボイラ２の高圧ドラム１７および高圧ドラム１７の入口側、あるいは中圧ドラム２２および中圧ドラム２２の入口側のうち、少なくとも１個所以上に酸素濃度計を備えた水質調整装置４５ａ，４５ｂ，…を設置してもよい。
【００４３】
このような位置は、腐食生成物が比較的多く生成されるので、水質調整装置４５ａ，４５ｂ，…を設ければより一層効果的である。
【００４４】
さらに、図１，図２で示した実施形態は、多軸形コンバインドサイクル発電プラントの例であるが、本発明はこれに限定されるものではなく、一軸形コンバインドサイクル発電プラントに適用することも可能である。
【図面の簡単な説明】
【００４５】
【図１】例示として、多軸形コンバインドサイクル発電プラントに適用する本発明に係るコンバインドサイクル発電プラントの水処理装置およびその水処理方法の第１実施形態を説明する際に使用する概略系統図。
【図２】例示として、多軸形コンバインドサイクル発電プラントに適用する本発明に係るコンバインドサイクル発電プラントの水処理装置およびその水処理方法の第２実施形態を説明する際に使用する概略系統図。
【図３】本発明に係るコンバインドサイクル発電プラントの水処理装置およびその水処理方法に適用する酸素供給装置の概略図。
【図４】本発明に係るコンバインドサイクル発電プラントの水処理装置およびその水処理方法に適用する酸素供給装置の制御回路を示す概略ブロック図。
【符号の説明】
【００４６】
１  ガスタービンプラント
２  排熱回収ボイラ
３  蒸気タービンプラント
４  復水・給水系
５  発電機
６  プレナム
７  空気圧縮機
８  燃料ガス圧縮機
９  ガスタービン燃焼器
１０  ガスタービン
１１  高圧第１過熱器
１２  高圧第２過熱器
１３  減温器
１４  第１再熱器
１５  第２再熱器
１６  再熱蒸気減温器
１７  高圧ドラム
１８  高圧蒸発器
１９  中圧過熱器
２０  高圧第３節炭器
２１  低圧過熱器
２２  中圧ドラム
２３  中圧蒸発器
２４  中圧第３節炭器
２５  高圧第２節炭器
２６  中圧第２節炭器
２７  低圧ドラム
２８  低圧蒸発器
２９  高圧第１節炭器
３０  中圧第１節炭器
３１  高圧蒸気タービン
３２  中低圧蒸気タービン
３３  発電機
３４  主蒸気系
３５  低温再熱蒸気系
３６  高温再熱蒸気系
３７  蒸気供給系
３８  復水器
３９  復水ポンプ
４０  グランドコンデンサ
４１  給水ポンプ
４２  給水管
４３  給水ポンプ中段注水管
４４  給水再循環管
４５，４５ａ，４５ｂ，４５ｃ，４５ｄ，４５ｅ，４５ｆ  水質調整装置
４６  酸素供給容器
４７  酸素供給調整弁
４８  酸素供給制御演算部
４９  酸素濃度計
５０  水温度計
５１  目標酸素濃度設定器
５２  水温度設定器
５３，５４  比較器
５５  ＰＩ演算部
５６  高値比較演算器
５７  信号設定器
５８  信号切替器
【図１】
2005313116.tif 000003
【図２】
2005313116.tif 000004
【図３】
2005313116.tif 000005
【図４】
2005313116.tif 000006